【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
無線通信システムにおいてユーザ機器（ＵＥ）によって実行される、ＭＢＭＳ（ｍｕｌｔｉｍｅｄｉａ  ｂｒｏａｄｃａｓｔ  ａｎｄ  ｍｕｌｔｉｃａｓｔ  ｓｅｒｖｉｃｅ）情報を報告する方法であって、前記方法は、
ネットワークからロギング構成情報を受信することと、
前記ロギング構成情報に従ってＭＢＭＳ情報のロギングを実行することと
を含み、
ＭＢＳＦＮ（ＭＢＭＳ  ｓｉｎｇｌｅ  ｆｒｅｑｕｅｎｃｙ  ｎｅｔｗｏｒｋ）リストが前記ロギング構成情報の中に含まれる場合、前記ＵＥは、前記ＭＢＳＦＮリストによって示されるＭＢＳＦＮ領域に対して前記ＭＢＭＳ情報のロギングを実行する、方法。
【請求項２】
前記ＭＢＳＦＮリストは、前記ＵＥが前記ＭＢＭＳ情報のロギングを実行する領域を制約するために使用される、請求項１に記載の方法。
【請求項３】
前記ＭＢＳＦＮリストは、ＭＢＳＦＮ領域アイデンティティを含む、請求項１に記載の方法。
【請求項４】
前記ＵＥは、前記ＭＢＳＦＮ領域アイデンティティによって示されるＭＢＳＦＮ領域の中の前記ＭＢＭＳ情報に対して測定を実行する、請求項３に記載の方法。
【請求項５】
前記ロギングされたＭＢＭＳ情報を前記ネットワークに送信することをさらに含む、請求項１に記載の方法。
【請求項６】
前記ＭＢＭＳ情報のロギングは、正規時間間隔で実行される、請求項１に記載の方法。
【請求項７】
ＭＢＭＳ（ｍｕｌｔｉｍｅｄｉａ  ｂｒｏａｄｃａｓｔ  ａｎｄ  ｍｕｌｔｉｃａｓｔ  ｓｅｒｖｉｃｅ）情報を報告するユーザ機器（ＵＥ）であって、前記ＵＥは、
無線信号を送信および受信する無線周波数（ＲＦ）部と、
前記ＲＦ部に結合されたプロセッサと
を備え、
前記プロセッサは、ネットワークからロギング構成情報を受信し、前記ロギング構成情報に従ってＭＢＭＳ情報のロギングを実行し、
ＭＢＳＦＮ（ＭＢＭＳ  ｓｉｎｇｌｅ  ｆｒｅｑｕｅｎｃｙ  ｎｅｔｗｏｒｋ）リストが前記ロギング構成情報の中に含まれる場合、前記ＵＥは、前記ＭＢＳＦＮリストによって示されるＭＢＳＦＮ領域に対して前記ＭＢＭＳ情報のロギングを実行する、ＵＥ。
【請求項８】
前記ＭＢＳＦＮリストは、前記ＵＥが前記ＭＢＭＳ情報のロギングを実行する領域を制約するために使用される、請求項７に記載のＵＥ。
【請求項９】
前記ＭＢＳＦＮリストは、ＭＢＳＦＮ領域アイデンティティを含む、請求項７に記載のＵＥ。
【請求項１０】
前記ＵＥは、前記ＭＢＳＦＮ領域アイデンティティによって示されるＭＢＳＦＮ領域の中の前記ＭＢＭＳ情報に対して測定を実行する、請求項９に記載のＵＥ。
【請求項１１】
前記プロセッサは、前記ロギングされたＭＢＭＳ情報を前記ネットワークに送信する、請求項７に記載のＵＥ。
【請求項１２】
前記ＭＢＭＳ情報のロギングは、正規時間間隔で実行される、請求項７に記載のＵＥ。
【手続補正２】
【補正対象書類名】明細書
【補正対象項目名】００２６
【補正方法】変更
【補正の内容】
【００２６】
他の態様において、無線通信システムで動作する無線装置が提供される。前記無線装置は、無線信号を送信及び受信するＲＦ（Ｒａｄｉｏ  Ｆｒｅｑｕｅｎｃｙ）部及び前記ＲＦ部と機能的に結合して動作するプロセッサを含む。前記プロセッサは、ＭＢＭＳ情報ロギング（ｌｏｇｇｉｎｇ）許容可否を決定し、前記ＭＢＭＳ情報ロギングが許容される場合、ＭＢＭＳ情報をロギングし、及び前記ロギングされたＭＢＭＳ情報をネットワークに報告するように設定される。前記ＭＢＭＳ情報ロギング許容可否は、ロギング範囲（ｌｏｇｇｉｎｇ  ｓｃｏｐｅ）に基づいて決定される。
本願明細書は、例えば、以下の項目も提供する。
（項目１）
無線通信システムにおける端末によるＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）情報報告方法において、前記方法は、
ＭＢＭＳ情報ロギング（ｌｏｇｇｉｎｇ）許容可否を決定し；
前記ＭＢＭＳ情報ロギングが許容される場合、ＭＢＭＳ情報をロギングし；及び、
前記ロギングされたＭＢＭＳ情報をネットワークに報告すること；を含み、
前記ＭＢＭＳ情報ロギング許容可否は、ロギング範囲（ｌｏｇｇｉｎｇ  ｓｃｏｐｅ）に基づいて決定されることを特徴とする報告方法。
（項目２）
前記ロギング範囲は、前記端末による前記ＭＢＭＳ情報ロギングが許容される一つ以上のＭＢＳＦＮ（ＭＢＭＳ  Ｓｉｎｇｌｅ  Ｆｒｅｑｕｅｎｃｙ  Ｎｅｔｗｏｒｋ）領域識別子リストを含むことを特徴とする項目１に記載の報告方法。
（項目３）
前記ＭＢＭＳ情報ロギング許容可否を決定することは、前記端末がキャンプオン中であるセルで提供されるＭＢＭＳサービスと関連しているＭＢＳＦＮ識別子が前記ロギング範囲の前記ＭＢＳＦＮ領域識別子リストに含まれている場合、前記ＭＢＭＳロギングが許容されると決定することを含むことを特徴とする項目２に記載の報告方法。
（項目４）
前記ロギング範囲は、前記端末による前記ＭＢＭＳ情報ロギングが許容される一つ以上のＭＢＭＳサービス領域に対するＭＢＭＳ  ＳＡＩ（Ｓｅｒｖｉｃｅ  Ａｒｅａ  Ｉｄｅｎｔｉｔｙ）リストを含むことを特徴とする項目１に記載の報告方法。
（項目５）
前記ＭＢＭＳ情報ロギング許容可否を決定することは、前記端末がキャンプオン中であるセルで提供されるＭＢＭＳサービスと関連しているＭＢＭＳ  ＳＡＩが前記ロギング範囲の前記ＭＢＭＳ  ＳＡＩリストに含まれている場合、前記ＭＢＭＳロギングが許容されると決定することを含むことを特徴とする項目４に記載の報告方法。
（項目６）
前記ロギング範囲は、前記端末による前記ＭＢＭＳ情報ロギングが許容される特定ＰＭＣＨ（Ｐｈｙｓｉｃａｌ  Ｍｕｌｔｉｃａｓｔ  Ｃｈａｎｎｅｌ）を指示することを特徴とする項目１に記載の報告方法。
（項目７）
前記ＭＢＭＳ情報ロギング許容可否を決定することは、前記端末がキャンプオン中であるセルから提供されるＭＢＭＳ制御情報及びＭＢＭＳサービスが前記ロギング範囲により指示される前記ＰＭＣＨを介して提供される場合、前記ＭＢＭＳロギングが許容されると決定することを含むことを特徴とする項目６に記載の報告方法。
（項目８）
前記ロギング範囲は、前記端末による前記ＭＢＭＳ情報ロギングが許容される特定ＭＴＣＨ（Ｍｕｌｔｉｃａｓｔ  Ｔｒａｆｆｉｃ  Ｃｈａｎｎｅｌ）を指示することを特徴とする項目１に記載の報告方法。
（項目９）
前記ＭＢＭＳ情報ロギング許容可否を決定することは、前記端末がキャンプオン中であるセルから提供されるＭＢＭＳサービスが前記ロギング範囲により指示される前記ＭＴＣＨを介して提供される場合、前記ＭＢＭＳロギングが許容されると決定することを含むことを特徴とする項目８に記載の報告方法。
（項目１０）
前記ロギング範囲は、前記端末による前記ＭＢＭＳ情報ロギングが許容されるＰＬＭＮ（Ｐｕｂｌｉｃ  Ｌａｎｄ  Ｍｏｂｉｌｅ  Ｎｅｔｗｏｒｋ）を指示することを特徴とする項目１に記載の報告方法。
（項目１１）
前記ＭＢＭＳ情報ロギング許容可否を決定することは、前記端末がキャンプオン中であるセルのＰＬＭＮが前記ロギング範囲によるＰＬＭＮに該当する場合、前記ＭＢＭＳロギングが許容されると決定することを含むことを特徴とする項目１０に記載の報告方法。
（項目１２）
前記ロギング範囲により指示される前記ＰＬＭＮは、前記端末のＲＰＬＭＮ（Ｒｅｇｉｓｔｅｒｅｄ  ＰＬＭＮ）であることを特徴とする項目１１に記載の報告方法。
（項目１３）
前記ロギング範囲により指示される前記ＰＬＭＮは、前記端末のＲＰＬＭＮ（Ｒｅｇｉｓｔｅｒｅｄ  ＰＬＭＮ）でないＰＬＭＮであることを特徴とする項目１１に記載の報告方法。
（項目１４）
前記方法は、ＭＢＭＳ報告設定を前記ネットワークから受信することをさらに含み、前記ＭＢＭＳ報告設定は、前記ロギング範囲を含むことを特徴とする項目１に記載の報告方法。
（項目１５）
前記ＭＢＭＳ情報をロギングすることは、ＭＢＭＳサービスを受信する周波数及びサブフレームに対してＭＢＭＳ測定を実行し；及び、前記ＭＢＭＳ情報を取得すること；を含むことを特徴とする項目１に記載の報告方法。
（項目１６）
前記ＭＢＭＳ情報は、
前記ＭＢＭＳサービスと関連しているＭＢＭＳ制御情報；
前記ＭＢＭＳサービスを提供するＭＢＭＳセル情報；
前記ＭＢＭＳサービスの受信品質情報；
前記ＭＢＭＳ送信情報；
前記ＭＢＭＳ側定時の前記端末の位置情報；及び、
前記ネットワークに対する無線測定情報；のうち少なくとも一つを含むことを特徴とする項目１５に記載の報告方法。
（項目１７）
前記ロギングされたＭＢＭＳ情報を前記ネットワークに報告することは、前記ＭＢＭＳ情報ロギングによって直ちに前記ネットワークに前記ロギングされたＭＢＭＳ情報を報告することを含むことを特徴とする項目１に記載の報告方法。
（項目１８）
前記ロギングされたＭＢＭＳ情報を前記ネットワークに報告することは、前記ネットワークに報告するロギングされたＭＢＭＳ情報があることを指示するロギングされたＭＢＭＳ情報可用性指示子（ｌｏｇｇｅｄ  ＭＢＭＳ  ｉｎｆｏｒｍａｔｉｏｎ  ａｖａｉｌａｂｉｌｉｔｙ  ｉｎｄｉｃａｔｏｒ）を前記ネットワークに送信し；
前記ロギングされたＭＢＭＳ情報の報告を要求するロギングされたＭＢＭＳ情報報告要求を前記ネットワークから受信し；及び、
前記ロギングされたＭＢＭＳ情報報告要求に対する応答として、前記ロギングされたＭＢＭＳ情報を含むロギングされたＭＢＭＳ情報報告を前記ネットワークに送信すること；を含むことを特徴とする項目１に記載の報告方法。
（項目１９）
無線通信システムで動作する無線装置において、前記無線装置は、
無線信号を送信及び受信するＲＦ（Ｒａｄｉｏ  Ｆｒｅｑｕｅｎｃｙ）部；及び、
前記ＲＦ部と機能的に結合して動作するプロセッサ；を含み、前記プロセッサは、
ＭＢＭＳ情報ロギング（ｌｏｇｇｉｎｇ）許容可否を決定し、
前記ＭＢＭＳ情報ロギングが許容される場合、ＭＢＭＳ情報をロギングし、及び
前記ロギングされたＭＢＭＳ情報をネットワークに報告するように設定され、
前記ＭＢＭＳ情報ロギング許容可否は、ロギング範囲（ｌｏｇｇｉｎｇ  ｓｃｏｐｅ）に基づいて決定されることを特徴とする無線装置。